(57)【要約】【課題】ワイヤハーネスの電線群に対する装着作業性が良く、遮音性能に優れた軽量なグロメットを提供する。【解決手段】軸方向に離間しつつ電線群Ｗに密着する密着壁部１１、１２と、これらを連結しつつ電線群Ｗの周囲に空間１４を形成する筒状壁部１３と、空間１４を複数の遮音空間１５、１６、１７、１８に区画する区画壁部２１、２２、２３とを備え、いずれか片方の密着壁部１２が、電線群Ｗを貫通させる外側の貫通穴１２ｈとそこから放射外方に延びる外側の切込み１２ｃとを有し、区画壁部２１〜２３が、内側の貫通穴２１ｈ、２２ｈ、２３ｈと複数の内側の切込み２１ｃ、２２ｃ、２３ｃとを有し、密着壁部１２に近い外側の区画壁部２１に形成された第１の内側の切込み２１ｃが、密着壁部１２から離れた内側の区画壁部２２に形成された第２の内側の切込み２２ｃと外側の切込み１２ｃとに対して、貫通穴１２ｈ、２１ｈの周方向で異なる位置に配置されている。【選択図】図４
2016123167.tif 000002
【特許請求の範囲】
【請求項１】
ワイヤハーネスの電線群をパネルに形成された開口に貫通させつつ該開口を閉塞するよう前記パネルに装着されるグロメットであって、
前記ワイヤハーネスの電線群の軸方向に離間しつつ内周側で前記電線群に密着する一方および他方の密着壁部と、
前記一方および他方の密着壁部の外周側を相互に連結する筒状をなし、前記電線群の周囲に空間を形成する筒状壁部と、
前記一方および他方の密着壁部の間で前記空間を前記電線群の軸方向に隣り合う複数の遮音空間に区画する複数の区画壁部と、を備え、
前記一方および他方の密着壁部のうちいずれか片方が、前記電線群を貫通させる外側の貫通穴および該外側の貫通穴から放射外方に延びる外側の切込みを有し、
前記複数の区画壁部が、それぞれ前記電線群を貫通させる内側の貫通穴および該内側の貫通穴から放射外方に延びる複数の内側の切込みを有し、
前記複数の区画壁部のうち前記いずれか片方の密着壁部に近い外側の区画壁部に形成された第１の内側の切込みが、前記複数の区画壁部のうち前記いずれか片方の密着壁部から離れた内側の区画壁部に形成された第２の内側の切込みと前記外側の切込みとに対して、前記外側の貫通穴および前記内側の貫通穴の周方向で異なる位置に配置されていることを特徴とするグロメット。
【請求項２】
前記第２の内側の切込みと前記外側の切込みとは、前記外側の貫通穴および前記内側の貫通穴の周方向で、互いに近接しつつ、前記第１の内側の切込みから前記周方向の一方側に離隔していることを特徴とする請求項１に記載のグロメット。
【請求項３】
請求項１または２に記載されたグロメットが装着されたワイヤハーネス。
【発明の詳細な説明】
【技術分野】
【０００１】
本発明は、グロメットに関し、特にワイヤハーネスの電線群が貫通するパネルの開口部分に装着されるグロメットに関する。
【背景技術】
【０００２】
自動車用ワイヤハーネスを車体側パネルの開口部に対し貫通姿勢で固定するグロメットにおいては、車室内環境の快適性要求の高度化に伴って高度な遮音性が要求されるようになってきている。
【０００３】
従来のこの種のグロメットとしては、音の伝播方向に厚肉となる遮音壁部やラビリンス構造をなす遮音壁部を設けて遮音性を高めたり、グロメット内に略密閉された空気層を形成して遮音空間としたりするものが知られている（例えば、特許文献１〜３参照）。
【先行技術文献】
【特許文献】
【０００４】
【特許文献１】特開２００１−１５３２７０号公報
【特許文献２】特開２００５−３２４６１３号公報
【特許文献３】特開２０１２−１２５００２号公報
【発明の概要】
【発明が解決しようとする課題】
【０００５】
しかしながら、遮音効果を高めるために厚肉の遮音壁部やラビリンス構造の遮音壁部を設ける従来のグロメットにあっては、厚肉となることで多くの材料を要したり部品数が増えたりするため、製造コストや重量の増加を招いていた。また、ワイヤハーネスを厚肉のグロメットや硬質の筒状部品に通す作業は容易でなく、その作業を容易にするために厚肉のグロメットを拡張治具等で大きくする場合にも、強力な拡張治具等が必要になり、ワイヤハーネスに対するグロメットの装着作業性が良くなかった。
【０００６】
一方、遮音空間となる空気層を形成する従来のグロメットにあっては、さほど多くの材料を要しないものの、ワイヤハーネスをグロメットに通す作業とは別に空気層を密閉させる面倒なテープ巻きを要したり、電線群を通すためにグロメットの内奥側の環状壁部の拡張を要したりする構成であったため、ワイヤハーネスの電線群に対するグロメットの装着作業性が良くなかった。
【０００７】
本発明は、このような従来の課題を解決するためになされたものであり、ワイヤハーネスの電線群に対する装着作業性が良く、遮音性能に優れた軽量なグロメットを提供することを目的とし、併せて、そのグロメットを装着した遮音性能に優れた軽量なワイヤハーネスを提供するものである。
【課題を解決するための手段】
【０００８】
本発明に係るグロメットは、上記目的達成のため、ワイヤハーネスの電線群をパネルに形成された開口に貫通させつつ該開口を閉塞するよう前記パネルに装着されるグロメットであって、前記ワイヤハーネスの電線群の軸方向に離間しつつ内周側で前記電線群に密着する一方および他方の密着壁部と、前記一方および他方の密着壁部の外周側を相互に連結する筒状をなし、前記電線群の周囲に空間を形成する筒状壁部と、前記一方および他方の密着壁部の間で前記空間を前記電線群の軸方向に隣り合う複数の遮音空間に区画する複数の区画壁部と、を備え、前記一方および他方の密着壁部のうちいずれか片方が、前記電線群を貫通させる外側の貫通穴および該外側の貫通穴から放射外方に延びる外側の切込みを有し、前記複数の区画壁部が、それぞれ前記電線群を貫通させる内側の貫通穴および該内側の貫通穴から放射外方に延びる複数の内側の切込みを有し、前記複数の区画壁部のうち前記いずれか片方の密着壁部に近い外側の区画壁部に形成された第１の内側の切込みが、前記複数の区画壁部のうち前記いずれか片方の密着壁部から離れた内側の区画壁部に形成された第２の内側の切込みと前記外側の切込みとに対して、前記外側の貫通穴および前記内側の貫通穴の周方向で異なる位置に配置されていることを特徴とする。
【０００９】
したがって、本発明のグロメットでは、一方および他方の密着壁部と複数の区画壁部とによって多段の遮音壁が構成されるとともに、それらの間に多段の遮音空間が形成されていることで、音の減衰率が高められ、良好な遮音性能が確保される。しかも、多段の遮音空間を区画する内方側の複数の区画壁部がそれぞれ内側の切込みを有しているので、グロメットの内方側にワイヤハーネスの電線群を貫通させる作業が容易になる。さらに、第１の内側の切込みが、第２の内側の切込みと外側の切込みとに対して周方向の異なる位置に配置されているので、音が切込みの部分で漏れたとしても複数の切込みを通る音の伝播経路が複数回複雑に屈曲しつつ長くなることからも音の減衰率が高められ、遮音性能が高められる。その結果、ワイヤハーネスの電線群に対する装着作業性が良く、遮音性能に優れた軽量なグロメットとなる。
【００１０】
なお、内側の切込みを形成する複数の区画壁部を、ゴム弾性を有する弾性素材（例えばゴムまたはエラストマー樹脂）により形成すると、電線群の貫通後に複数の切込みを実質的な閉止状態に近付けることができ、その点からも遮音性が高められる。また、切込みが貫通穴から所定角度間隔で放射外方に延びる複数の切込みとする場合も、これらの切込みの間の扇形に分割された分割壁部が、電線群の軸線方向で隣り合う壁部間では貫通穴の周方向にずれて配置されることになり、電線群の挿通作業時に隣り合う壁部間で分割壁部同士が干渉したり絡んだりし難くなる。
【００１１】
本発明のグロメットにおいて、前記第２の内側の切込みと前記外側の切込みとは、前記外側の貫通穴および前記内側の貫通穴の周方向で、互いに近接しつつ、前記第１の内側の切込みから前記周方向の一方側に離隔しているものであってもよい。
【００１２】
このようにすると、複数の切込みを通る音の伝播経路がより複雑に屈曲しつつ長くなることになり、遮音性能がより高められる。
【００１３】
本発明に係るワイヤハーネスは、上記のいずれかの構成を有するグロメットが装着されたものである。
【００１４】
本発明のワイヤハーネスにおいては、電線群に対する装着作業性が良く、遮音性能に優れた軽量なグロメットが装着されているので、遮音性能に優れた軽量なワイヤハーネスとなる。
【発明の効果】
【００１５】
本発明によれば、ワイヤハーネスの電線群に対する装着作業性が良く、遮音性能に優れた軽量なグロメットを提供することができる。
【００１６】
併せて、そのグロメットを装着した遮音性能に優れた軽量なワイヤハーネスを提供することができる。
【図面の簡単な説明】
【００１７】
【図１】本発明の一実施の形態に係るグロメットの正面断面図である。
【図２】（ａ）は、図１のＡ２−Ａ２断面図であり、（ｂ）は、図１のＡ３−Ａ３断面図である。
【図３】本発明の一実施の形態に係るグロメットをワイヤハーネスの電線群に装着した状態を示すその正面断面図である。
【図４】本発明の一実施の形態に係るグロメットをワイヤハーネスの電線群に装着したときの要部の状態を示すその部分拡大斜視図である。
【図５】本発明の一実施の形態に係るグロメットの外観斜視図である。
【発明を実施するための形態】
【００１８】
以下、本発明を実施するための形態について図面を参照して説明する。
【００１９】
一実施の形態のグロメットは、例えば自動車用のエンジンコンパートメントと車室の間を区画するパネル（ダッシュパネルあるいはフロアパネル）の開口部に装着されるものである。
【００２０】
図１および図３に示すように、グロメット１０は、ワイヤハーネス１（全体は図示せず）の電線群Ｗを中心部に貫通させるように挿通可能な筒状をなしており、電線群Ｗをその配索経路の所定区間内で取り囲みつつ支持するようになっている。
【００２１】
そして、このグロメット１０は、ワイヤハーネス１の電線群Ｗをパネル３に形成された開口３ａに貫通させつつ、その開口３ａを閉塞するようパネル３に装着されるようになっている。
【００２２】
電線群Ｗは、グロメット１０内を貫通する部分が、絶縁テープ等で被覆されるとともに１本の略円形断面形状に結束されている。この電線群Ｗは、例えば自動車に搭載される補機、アクチュエータ、センサ、電子制御ユニットその他の機器のいずれかの配線を含むものである。
【００２３】
グロメット１０は、ゴム弾性を有する材料（粘弾性材料、例えばゴムまたはエラストマー樹脂）で形成されている。ただし、グロメット１０は、パネル３の開口３ａの内周縁部３ｂに嵌合し支持される外周側の部分を、樹脂製インナー部材等によって補強する構造としたものであってもよい。
【００２４】
また、グロメット１０は、ワイヤハーネス１の電線群Ｗの軸方向に離間しつつ内周側で電線群Ｗに密着する一方の密着壁部１１および他方の密着壁部１２と、一方および他方の密着壁部１１、１２の外周側を相互に連結する筒状壁部１３とを具備している。
【００２５】
一方の密着壁部１１は、グロメット１０の軸方向の一端側に配設されており、その先端部分がつば状に拡径された略円筒状に形成されている。また、一方の密着壁部１１は、ワイヤハーネス１の電線群Ｗより小径か略同一径の内周面１１ａを有しており、少なくともその外周面１１ｂ側から絶縁テープ等で重ね巻きされながら締め付けられるとき、内周面１１ａをワイヤハーネス１の電線群Ｗに密着させるようになっている。
【００２６】
この一方の密着壁部１１は、電線群Ｗを通すときには、公知の拡張治具によって内周面１１ａの直径を大きくするように拡張されるようになっている。
【００２７】
他方の密着壁部１２は、グロメット１０の軸方向の他端側に配設されており、その外周側で筒状壁部１３に一体に結合されている。
【００２８】
筒状壁部１３は、ワイヤハーネス１の電線群Ｗを取り囲む筒状をなしており、一方および他方の密着壁部１１、１２とともに電線群Ｗの周囲に閉じた空間１４を形成するようになっている。
【００２９】
また、筒状壁部１３は、他方の密着壁部１２側の端部近傍に、パネル３の開口３ａの内周縁部３ｂに気密的に嵌合する弾性嵌合部１３ａを有しており、電線群Ｗとパネル３の開口３ａの内周縁部３ｂとの間を防水および遮音可能にシールする機能を有している。
【００３０】
図５に示すように、筒状壁部１３は、他方の密着壁部１２側の端部で最大外径となり、弾性嵌合部１３ａと一方の密着壁部１１との間では一方の密着壁部１１に近付くほど小径になるように外周面が傾斜した略円錐台形状をなしている。なお、この筒状壁部１３の外形や弾性嵌合部１３ａのようなパネル固定部分の構成は、公知のものと同様でよいので、ここでは詳細な説明を省略する。
【００３１】
図３に示すように、筒状壁部１３の内方側であって一方および他方の密着壁部１１、１２の間には、空間１４を複数の遮音空間１５、１６、１７、１８に区画するように電線群Ｗの軸方向に隣り合う、略同一厚さの複数の区画壁部２１、２２、２３が、略等間隔に設けられている。
【００３２】
図２および図４に示すように、一方の密着壁部１１および他方の密着壁部１２のうちいずれか片方、例えば他方の密着壁部１２は、電線群Ｗを貫通させる外側の貫通穴１２ｈと、その外側の貫通穴１２ｈから等角度間隔（例えば９０度間隔）で放射外方に延びる外側の切込み１２ｃとを有している。
【００３３】
外側の貫通穴１２ｈの周方向における外側の切込み１２ｃの切込み幅ｗ１は、例えば電線群Ｗおよびグロメット１０の中心軸線方向における他方の密着壁部１２の厚さｔ１より小さくなっている。
【００３４】
また、複数の区画壁部２１、２２、２３は、それぞれ電線群Ｗを貫通させる内側の貫通穴２１ｈ、２２ｈ、２３ｈと、これら内側の貫通穴２１ｈ、２２ｈ、２３ｈから等角度間隔に放射外方に延びる複数の内側の切込み２１ｃ、２２ｃ、２３ｃを有している。
【００３５】
内側の貫通穴２１ｈ、２２ｈ、２３ｈの周方向における内側の切込み２１ｃ、２２ｃ、２３ｃの切込み幅ｗ２は、互いに略同一の幅となっており、例えば電線群Ｗおよびグロメット１０の中心軸線方向における各区画壁部２１、２２、２３の厚さｔ２より小さくなっている。
【００３６】
そして、複数の区画壁部２１、２２、２３のうち他方の密着壁部１２に近い外側の区画壁部２１に形成された第１の内側の切込み２１ｃは、複数の区画壁部２１、２２のうち他方（いずれか片方）の密着壁部１２から離れた内側の区画壁部２２に形成された第２の内側の切込み２２ｃと外側の切込み１２ｃとに対して、外側の貫通穴１２ｈおよび内側の貫通穴２１ｈ、２２ｈ、２３ｈの周方向で異なる位置に配置されている。
【００３７】
また、第２の内側の切込み２２ｃと外側の切込み１２ｃとは、外側の貫通穴１２ｈおよび内側の貫通穴２１ｈ、２２ｈの周方向で、互いに略同一角度位置に近接しつつ、第１の内側の切込み２１ｃから周方向の一方側に離隔している。
【００３８】
さらに、第１の内側の切込み２１ｃと、複数の区画壁部２１、２２、２３のうち他方の密着壁部１２から最も離れた最内方側の区画壁部２３に形成された第３の内側の切込み２３ｃとは、外側の貫通穴１２ｈおよび内側の貫通穴２１ｈ、２２ｈの周方向で、互いに略同一角度位置に近接しつつ、第２の内側の切込み２２ｃおよび外側の切込み１２ｃから周方向の他方側に離隔している。
【００３９】
図２および図４に示すように、他方の密着壁部１２の複数の外側の切込み１２ｃと、複数の区画壁部２１、２２、２３のそれぞれ複数の内側の貫通穴２１ｈ、２２ｈ、２３ｈとは、周方向に例えば９０度間隔で、４つ形成されている。したがって、第１の内側の切込み２１ｃおよび第３の内側の切込み２３ｃと、第２の内側の切込み２２ｃおよび外側の切込み１２ｃとは、互いに４５度だけ異なる角度位置に配置されている。
【００４０】
また、複数の遮音空間１５、１６、１７、１８のうち、複数の区画壁部２１、２２、２３と他方の密着壁部１２とによって挟まれた他方の密着壁部１２側の複数の遮音空間１５、１６、１７は、互いに略同一の空気層厚さになっている。これに対し、残りの一方の密着壁部１１側の遮音空間１８は、遮音空間１５、１６、１７のいずれよりも空気層厚さが大きくなっている。
【００４１】
なお、グロメット１０の他方の密着壁部１２および複数の区画壁部２１、２２、２３は、それぞれゴム弾性を有する素材により形成されているので、電線群Ｗの貫通時に複数の切込み１２ｃ、２１ｃ、２２ｃ、２３ｃを実質的な閉止状態に近付けることもできる。具体的には、例えば複数の外側の切込み１２ｃの間で扇形に分割された複数の分割壁部１２ｄが電線群Ｗの貫通時に径方向に圧縮されるようにして、周方向に隣り合う分割壁部１２ｄの間の切込み１２ｃの幅を狭めることが考えられる。また、切込み１２ｃ、２１ｃ、２２ｃ、２３ｃの間の扇形の分割壁部２１ｄ、２２ｄ、２３ｄについても、同様に、自由形状や電線貫通時の圧縮量を設定することができる。
【００４２】
次に、作用を説明する。
【００４３】
上述のように構成された本実施の形態のグロメット１０においては、一方および他方の密着壁部１１、１２と複数の区画壁部２１、２２、２３とによって多段の遮音壁が構成されるとともに、それらの間に多段の遮音空間１５、１６、１７、１８が形成されているので、パネル３の開口３ａ内を透過する音の減衰率が高められ、良好な遮音性能が確保されることになる。
【００４４】
また、多段の遮音空間１５、１６、１７、１８を区画する内方側の複数の区画壁部２１、２２、２３がそれぞれ内側の切込み２１ｃ、２２ｃ、２３ｃを有しているので、グロメット１０の内方側にワイヤハーネス１の電線群Ｗを貫通させる作業が容易になる。
【００４５】
さらに、第１の内側の切込み２１ｃおよび第１の内側の切込み２３ｃが、外側の切込み１２ｃおよび第２の内側の切込み２２ｃに対して周方向の異なる位置に配置されているので、音が切込み１２ｃ、２１ｃ、２２ｃ、２３ｃの部分で漏れたとしても、これら複数の切込みを通る音の伝播経路が複数回複雑に屈曲しつつ長くなる。したがって、音の減衰率が高められ、遮音性能が高められる。
【００４６】
その結果、グロメット１０は、ワイヤハーネス１の電線群Ｗに対する装着作業性が良く、遮音性能に優れた軽量なものとなる。
【００４７】
加えて、本実施形態においては、第２の内側の切込み２２ｃと外側の切込み１２ｃとが、外側の貫通穴１２ｈおよび内側の貫通穴２２ｈ、２３ｈの周方向で、互いに近接しつつ、第１の内側の切込み２１ｃおよび第３の内側の切込み２３ｃから周方向の一方側に離隔している。したがって、音が切込み１２ｃ、２１ｃ、２２ｃ、２３ｃの部分で漏れたとしても、これらの切込み１２ｃ、２１ｃ、２２ｃ、２３ｃを通る音の伝播経路がより複雑に屈曲しつつ長くなることになり、遮音性能がより高められる。
【００４８】
また、本実施形態では、他方の密着壁部１２と複数の区画壁部２１、２２、２３とに、貫通穴１２ｈ、２１ｈ、２２ｈ、２３ｈから所定角度間隔で放射外方に延びるそれぞれ複数の切込み１２ｃ、２１ｃ、２２ｃ、２３ｃが形成され、これらの切込み１２ｃ、２１ｃ、２２ｃ、２３ｃの間の扇形に分割された分割壁部１２ｄ、２１ｄ、２２ｄ、２３ｄ等が、電線群Ｗの軸線方向で隣り合う壁部間では貫通穴１２ｈ、２１ｈ、２２ｈ、２３ｈの周方向にずれて配置されることになり、電線群Ｗの挿通作業時に隣り合う壁部間で分割壁部同士、例えば分割壁部２１ｄ、２２ｄ同士が干渉したり絡んだりし難くなる。
【００４９】
さらに、一方の密着壁部１１側の遮音空間１８は、遮音空間１５、１６、１７のいずれよりも空気層厚さが大きくなっているので、切込みの無い一方の密着壁部１１を拡張治具等によって拡径させる作業が容易にできる。
【００５０】
本実施形態のワイヤハーネス１は、上述のように電線群Ｗに対する装着作業性が良く、遮音性能に優れた軽量なグロメット１０が装着されているので、遮音性能に優れた軽量なものとなる。
【００５１】
このように、本実施形態においては、ワイヤハーネス１の電線群に対する装着作業性が良く、遮音性能に優れた軽量なグロメット１０を提供することができ、併せて、グロメット１０を装着した遮音性能に優れた軽量なワイヤハーネス１を提供することができる。
【００５２】
なお、上述の一実施の形態では、複数の遮音空間１５、１６、１７、１８のうち、一方の密着壁部１１側の遮音空間１８が、遮音空間１５、１６、１７のいずれよりも空気層厚さが大きくなっているものとしたが、各層の厚さは任意である。また、複数の区画壁部２１、２２、２３の厚さは、略同一厚さで略等間隔に設けられるものとしたが、厚さが相違してもよいし、不等間隔であってもよい。
【００５３】
また、外側の切込み１２ｃや複数の内側の切込み２１ｃ、２２ｃ、２３ｃの切込み数は、互いに同数の４つとしたが、４つ以外の切込み数、例えば、１つ、３つ、あるいは、５つであってもよいし、必ずしも同数でなくともよい。すなわち、軸方向位置に応じて切込み数を変化させてもよい。
【００５４】
以上説明したように、本発明は、ワイヤハーネスの電線群に対する装着作業性が良く、遮音性能に優れた軽量なグロメットを提供することができ、併せて、そのグロメットを装着した遮音性能に優れた軽量なワイヤハーネスを提供することができるものである。かかる本発明は、ワイヤハーネスの電線群が貫通するパネルの開口部分に装着されるグロメット全般に有用である。
【符号の説明】
【００５５】
１  ワイヤハーネス
３  パネル
３ａ  開口
３ｂ  内周縁部
１０  グロメット
１１  一方の密着壁部
１１ａ  内周面
１１ｂ  外周面
１２  他方の密着壁部（いずれか片方の密着壁部）
１２ｃ  切込み（外側の切込み）
１２ｄ、２１ｄ、２２ｄ、２３ｄ  分割壁部
１２ｈ  貫通穴（外側の貫通穴）
１３  筒状壁部
１３ａ  弾性嵌合部
１４  空間
１５、１６、１７、１８  遮音空間
２１  区画壁部（外側の区画壁部）
２１ｃ  切込み（内側の切込み、第１の内側の切込み）
２１ｈ、２２ｈ、２３ｈ  貫通穴（内側の貫通穴）
２２  区画壁部（内側の区画壁部）
２２ｃ  切込み（内側の切込み、第２の内側の切込み）
２３  区画壁部
２３ｃ  切込み（内側の切込み、第３の内側の切込み）
ｔ１、ｔ２  厚さ（壁厚）
ｗ１、ｗ２  切込み幅
【図１】
2016123167.tif 000003
【図２】
2016123167.tif 000004
【図３】
2016123167.tif 000005
【図４】
2016123167.tif 000006
【図５】
2016123167.tif 000007